(57)【要約】【課題】  ９Ｖの電池１個でマイナス電位を広く長期間使用可能とし、温熱治療が必要な部位に手軽に温熱器を、取り付けられるのが課題である。【解決手段】  柔軟性のある極薄スチレンペーパーシートに、アルミを蒸着又は箔を張り付け電極とし、これをマジックジッパの着脱可能なチョッキの内面に取り付け、付属のマジックジッパ付、温熱器用ポケットを使用するものである。【選択図】  図１
2005323963.tif 000002
【特許請求の範囲】
【請求項１】
柔軟性を有するスチレンペーパー極薄シート１の片面に、アルミ２を蒸着して電極とし、積層乾電池５のマイナス側に接続した、９Ｖマイナス電位電極部。
【請求項２】
請求項１に記載の電極部に於いて、アルミ２の箔を、スチレンペーパー極薄シート１の、片面に張り付けて電極とした、マイナス電位電極部。
【請求項３】
請求項１に記載の、電極部のスチレンペーパー１面を、人体９側に、アルミ２の電極面をチョッキ６側として、その内部に装着した、マイナス電位電極部。
【請求項４】
請求項３に記載のチョッキ６を、マジックジッパ８が着脱可能な生地により形成し、ポケット７を治療を必要とする患部位置に、適宜に取り付け温熱器１１を入れて使用する、マイナス電位温熱器。
【請求項５】
請求項３に記載の温熱器１１が、蓄熱材使用の温熱器よりなる、マイナス電位温熱器。
【請求項６】
請求項３に記載の温熱器１１が、使い捨てかいろである、マイナス電位温熱器。
【請求項７】
請求項３に記載のチョッキ６に於いて、電池ポケット１０を設け、９Ｖ電池１個で、体９の患部全てをカバーするようになしたる、マイナス電位温熱器。
【発明の詳細な説明】
【技術分野】
【０００１】  本発明は特願２００４−１０９４４４及び、平成１６年４月２１日提出の特許願（Ｐ０５０−ＳＥＰ）、この一連の出願の改良に関するもので、特に（Ｐ０５０−ＳＥＰ）の電池式を、一般に市販されている電池の使用を可能としたものである。
【背景技術】
【０００２】  従来より温熱治療器には、併用して磁気効果を狙った磁石、他にマスナスイオンを放射すると言われている、種々の微弱放射性鉱物を原料とした塗料を使用し、マイナスイオン効果を付加したものが有り、これらは特に電源を必要としないので、コードレスタイプにした物が多く製品化されている。【０００３】  このイオン放射鉱物を原料とした放射イオンは、温熱治療器のように袋等に入れて使用する場合、遮蔽する物によっては、イオン放射量が著しく減衰する欠点を有する。
【発明の開示】
【発明が解決しょうとする課題】
【０００４】  本発明が解決しょうとする課題は、イオン電位温熱器に於いて、高額な特注高圧電池を使用せず、一般市販の９Ｖ電池を使用して、イオン電位効果を出すのが課題である。
【課題を解決するための手段】
【０００５】  この課題を解決する手段として、本発明のものは、市販の９Ｖ積層乾電池と極薄スチレンペーパーシートとアルミ電極を組み合わせ、これを本発明のチョッキ内に装着し、マジックジッパによりポケットを患部箇所に、適宜取り付け、このポケットに温熱器を入れて使用するものである。
【発明の効果】
【０００６】  発明の効果としては、従来ではコードレスが不可能であったマイナス電位を、コードレス化を可能とするもので、極薄電極と一般市販の９Ｖ積層乾電池により、マイナス電位の長期効果を可能としたものである。
【発明を実施するための最良の形態】
【０００７】  治療用温熱器を、必要な患部に取り付け使用を可能とし、マイナス電位を一般市販の電池でコードレスにて、手軽に長期間使用を可能とするのが最良の形態である。
【実施例】
【０００８】  石原結実医学博士の著書「体を温めると病気は必ず治る」に「人の生体は（一種の熱機関）として働いているのだから、体温は人間の健康や生命にとって極めて重要である。  よって、強い寒さに襲われると、体温が低下して死に至ることもある。  どんな屈強な若者でも、冬山で遭難すると、たとえ外傷を負わなくても凍死することがあるのはそのためだ。  体温が下がることによって、体に何が起きてくるか。  たった０，５℃の違いでも、かなりのダメージが生まれるのである。  体温が下がると発生する症状  ３６，５℃    健康体・免疫力旺盛  ３６，０℃    ふるえることにより熱発生を増加させようとする  ３５，５℃    恒常的に続くと、排泄機能低下・自律神経失調症状が出現                アレルギー症状が出現  ３５，０℃    ガン細胞が最も増殖する温度  ３４，０℃    水におぼれ救出後、生命快復ギリギリの体温  ３３，０℃    冬山遭難で、凍死する前幻覚が出る体温  ３０，０℃    意識消失  ２９，０℃    瞳孔拡大  ２７，０℃    死体の体温普通、体熱が１℃上昇すると脈拍が約１０回多くなる。  したがって、何かの病気で発熱すると、体温と脈拍が平行して増加していくものである。  万一、脈は増加し続けても、体温が下がってくると、脈拍を示す直線と体温を示す直線が交叉することになる。これを（死の交叉）といい、この患者は（確実に死ぬこと）を表している。  つまり体温がいかに生命にとって大切かを物語っている。」【０００９】  「風邪や肺炎、胆のう炎などの感染症、リウマチや潰瘍性大腸炎などの自己免疫性疾患、ガン、肉腫などの悪性腫瘍などはもちろん、心筋梗塞の発作や脳出血発作などの循環器疾患でも、少しひどくなると必ず発熱を伴い、また食欲不振に陥る。  発熱や食欲不振は、病気であるとことを示すサインであると同時に、病気を治そうとしている治癒反応でもある。  つまり、食欲不振とは、血液を汚す最大の要因である（過食）をストップさせる反応であるし、発熱は血液の中の汚れ（老廃物）を燃焼させて血液を浄化しいる様子と考えていい。  日頃、この血液の汚れ（老廃物）を処理してくれているのは、血液の中にある白血球である。  その他、白血球といえば、殺菌作用やガン細胞をやっつける作用、また、免疫物質（免疫グロブリン）を作る血球として知られている。」【００１０】  「では、白血球の働きをよくするにはどうしたらいいか。  好中球１個で細菌を１０〜２０個貪食するが、たくさん食事をした後や、甘い物をたらふく食べた後に採血して白血球の貪食力を調べると、その働きは半減している。  つまり、飽食してお腹がいっぱいになると、白血球も腹いっぱいになると見えて、ばい菌や老廃物の貪食力が低下するということになる。  このことは血液中の糖分が増える高血糖症（糖尿病）の人は、免疫力が低下するということになる。  逆に空腹や断食中の人の血液中の好中球は、それ自身もお腹が空いていると見えて、老廃物やばい菌などの貪食力が倍増する。  つまり、空腹時には免疫力が上昇するわけだ。  病気になると食欲不振に陥るのはこのためである。  私が大学時代に白血球の研究をしていた時、運動後や入浴後には好中球の貪食能力が上昇することに気づいていたが、結局は体温上昇が、好中球のみならず、リンパ球、単球、好酸球、好塩基球などすべての白血球の働きを促進させることがわかった。  ほとんどの病気で発熱するのは、この白血球の働きを高めて病気を治そうとする自然治癒力の表れと考えていいだろう。  つまり、日頃から体を温める工夫をしておくことで、病気を防ぎ、治すことができるのである。」と記載されている。【００１１】  このように体を温める温熱器はその効果が認められており、更にマイナス電位は古くから「電位治療」として知られているもので、これらをコードレスにして手軽に使用可能にしたものである。【００１２】  図１に図示せるものは、スチレンペーパー１の極薄シートを使用したもので、アルミ２の電極は、スチレンペーパー１の片面に蒸着又は箔を貼り付けて作成する、この電極部は柔軟性が有り、人体に使用する場合に使用部位に馴染みやすい特徴がある。  このアルミ２の電極にリード線３を固定部４で取り付け、これに９Ｖ積層乾電池のマイナス側を接続して使用する。【００１３】  このマイナス電位の効果は、添付資料のテスト写真を見ても明らかなように、常温にて、イオン電位の無い容器のイチゴは、２日目に香りが無くなり、３日目にカビが発生したが。  イオン電位付きの容器のイチゴは、３日目でも良い香りが有り、カビの発生もなかった。  これを見ても確かに効果の有ることが確認出来るものである。【００１４】  図２に図示せるものは、本発明の温熱器１１の装着装置に関するもので、温熱治療が必要な部位に、温熱器１１を取り付けるチョッキ６を示すもので、チョッキ６の生地表面は、マジックジッパ８の着脱が自在な生地を使用し、温熱治療の必要な部位に、付属のポケット７をマジックジッパ８により、チョッキ６に取り付け、その中に温熱器１１を入れて使用するものである。【００１５】  このチョッキ６に電極部を装着する場合、スチレンペーパー極薄シート１の面を人体９にくるように、アルミ２の電極面をチョッキ６にくるように取り付ける。それ故温熱器１１はアルミ２の電極側にポケット７により取り付ける事になる。ポケット１０内の９Ｖ電池１個で、チョッキ６の内面全てをカバーする、電池５は電流を流すことが無いので、自然放電による寿命のため長期間効果を持続する。
【産業上の利用可能性】
【００１６】  マイナス電位のコードレス化を可能とし、温熱器を治療が必要な部位に取り付け使用が可能な、従来に無い手軽なコードレスイオン電位温熱器を、提供するものである。
【図面の簡単な説明】
【００１７】
【図１】本発明の電極部を示す図である。
【図２】使用中を示す説明図である。
【符号の説明】
【００１８】  １  極薄スチレンペーパーシート  ２  アルミ電極  ３  リード線  ４  リード線接続部  ５  ９Ｖ積層乾電池  ６  片面マジックジッパ着脱生地チョッキ  ７  温熱器用ポケット  ８  マジックジッパ  ９  人体１０  電池用ポケット１１  温熱器
【図１】
2005323963.tif 000003
【図２】
2005323963.tif 000004